(57)【特許請求の範囲】
【請求項１】
シート材が載置される載置部材と、
前記載置部材に設けられ、揺動可能とされた揺動部材と、
前記載置部材に設けられ、前記揺動部材にその揺動中心から離間した位置において接触する接触部材と、
前記揺動部材にその揺動中心から離間した位置において設けられ、前記シート材が突き当たることで前記シート材を位置決めする突当部材と、
前記揺動部材と前記接触部材とが接触する際の前記揺動部材の揺動位置を調整する調整手段と、
を備えたシート材位置決め装置。
【請求項２】
前記揺動部材と接触する際の前記揺動部材の揺動位置が異なる複数の前記接触部材を備え、
かつ、前記調整手段は、前記載置部材に設ける前記接触部材を変更することで前記揺動部材の揺動位置を調整する、
ことを特徴とする請求項１記載のシート材位置決め装置。
【請求項３】
前記接触部材は、回転位置が変更されることで前記揺動部材と接触する際の前記揺動部材の揺動位置が異なり、
かつ、前記調整手段は、前記接触部材の回転位置を変更することで前記揺動部材の揺動位置を調整する、
ことを特徴とする請求項１または請求項２記載のシート材位置決め装置。
【請求項４】
前記揺動部材が前記接触部材に接触する位置と前記揺動部材の揺動中心との距離を、前記突当部材の前記シート材が突き当たる位置と前記揺動部材の揺動中心との距離より大きくした、ことを特徴とする請求項１乃至請求項３の何れか１項記載のシート材位置決め装置。
【請求項５】
前記突当部材の前記シート材が突き当たる位置と前記揺動部材の揺動中心とを通る直線を、前記突当部材による前記シート材の位置決め方向に対し垂直に近づけた、ことを特徴とする請求項１乃至請求項４の何れか１項記載のシート材位置決め装置。
【請求項６】
前記載置部材が回転ドラムであり、前記シート材がシート状画像記録材料である、ことを特徴とする請求項１乃至請求項５の何れか１項記載のシート材位置決め装置。
【請求項７】
回転ドラムの外周にシート状画像記録材料を位置決め固定し、前記回転ドラムを回転させながら露光ヘッドを前記回転ドラムの軸線方向へ移動させて走査露光する画像記録装置であって、
前記位置決めを行う位置決め装置は、
前記シート状画像記録材料が載置される前記回転ドラムと、
前記回転ドラムに設けられ、揺動可能とされた揺動部材と、
前記回転ドラムに設けられ、前記揺動部材にその揺動中心から離間した位置において接触する接触部材と、
前記揺動部材にその揺動中心から離間した位置において設けられ、前記シート状画像記録材料が突き当たることで前記シート状画像記録材料を位置決めする突当部材と、
前記揺動部材と前記接触部材とが接触する際の前記揺動部材の揺動位置を調整する調整手段と、
を備えたことを特徴とする画像記録装置。
【発明の詳細な説明】
【０００１】
【発明の属する技術分野】
本発明は、シート材を位置決めするシート材位置決め装置及びシート状画像記録材料に画像を走査露光する画像記録装置に関する。
【０００２】
【従来の技術】
印刷版露光装置としては、シート状の印刷版（例えば所謂フォトポリプレートやサーマルプレート）における画像形成層（感光層や感熱層等）に、直接レーザビーム等で画像を記録（露光）するものが開発されてきている。
【０００３】
この印刷版露光装置は、例えばパンチ機構を備えており、パンチ機構に印刷版が搬送されることで、パンチ機構により印刷版の端縁に切り欠き（ノッチパンチ）が形成される。
【０００４】
また、この印刷版露光装置は、露光機構を備えており、露光機構にはパンチ機構での処理後の印刷版が搬送される。露光機構は回転ドラムを有しており、露光機構に搬送された印刷版が回転ドラムの周面上に載置される。回転ドラムの周面には位置決めピンが設けられており、位置決めピンに上記切り欠きが合わせられることで、回転ドラムの周面上に印刷版が位置決めされる。回転ドラムの近傍には、記録ヘッド部が設けられており、前記位置決め後の印刷版が回転ドラムの周面に巻き付けられた後、回転ドラムが高速回転されつつ記録ヘッド部から印刷版に光ビームが照射されることで露光処理される構成である。
【０００５】
しかしながら、このような印刷版露光装置では、切り欠きを形成するためのパンチ機構が高価であるため、全体のコストが高くなるという問題がある。
【０００６】
さらに、露光処理は高い精度で行う必要があるため、回転ドラム周面上への印刷版の位置決めには高い精度が要求される。ところが、回転ドラム周面での位置決めピンの位置精度を、回転ドラムの位置決めピン組付部位や位置決めピンの機械加工精度のみで保証することは難しく、回転ドラム周面に対して位置決めピンの位置を調整（微調整）する機構（以下「位置調整機構」という）が必要である。
【０００７】
また、印刷版が露光処理される際には回転ドラムが高速回転されるため、仮に回転ドラムが遠心力により変形すると、記録ヘッド部と印刷版との距離が変わって記録画像にピントボケを生じる可能性がある。これにより、回転ドラムが高速回転される際に変形することを抑制するために、上記位置調整機構が小型かつ軽量である必要がある。
【０００８】
【発明が解決しようとする課題】
本発明は上記事実を考慮し、コストを低減できると共に、載置部材に対する突当部材の位置を小型かつ軽量な機構で調整できるシート材位置決め装置、及び、コストを低減できると共に、回転ドラムに対する突当部材の位置を小型かつ軽量な機構で調整できる画像記録装置を得ることが目的である。
【０００９】
【課題を解決するための手段】
請求項１に記載のシート材位置決め装置は、シート材が載置される載置部材と、前記載置部材に設けられ、揺動可能とされた揺動部材と、前記載置部材に設けられ、前記揺動部材にその揺動中心から離間した位置において接触する接触部材と、前記揺動部材にその揺動中心から離間した位置において設けられ、前記シート材が突き当たることで前記シート材を位置決めする突当部材と、前記揺動部材と前記接触部材とが接触する際の前記揺動部材の揺動位置を調整する調整手段と、を備えている。
【００１０】
請求項１に記載のシート材位置決め装置では、載置部材に載置されるシート材が突当部材に突き当たることで、シート材が位置決めされる。このため、従来の印刷版端縁に切り欠きを形成するパンチ機構が必ずしも必要でなく、コストを低減できる。
【００１１】
また、突当部材は、載置部材に揺動可能に設けられた揺動部材に設けられており、揺動部材の揺動中心から離間した位置に配置されている。さらに、載置部材に設けられた接触部材が、揺動部材にその揺動中心から離間した位置において接触する。ここで、揺動部材と接触部材とが接触する際の揺動部材の揺動位置が調整手段によって調整される。これにより、揺動部材の揺動中心を中心とした突当部材の回動位置が調整され、載置部材に対する突当部材の位置を調整できる。
【００１２】
さらに、揺動部材と接触部材とが接触する際の揺動部材の揺動位置を調整手段によって調整するのみで載置部材に対する突当部材の位置を調整する構成であるため、載置部材に対する突当部材の位置を調整する機構を単純な構成にすることができ、これにより、当該機構を小型かつ軽量にできる。
【００１３】
請求項２に記載のシート材位置決め装置は、請求項１に記載のシート材位置決め装置において、前記揺動部材と接触する際の前記揺動部材の揺動位置が異なる複数の前記接触部材を備え、かつ、前記調整手段は、前記載置部材に設ける前記接触部材を変更することで前記揺動部材の揺動位置を調整する、ことを特徴としている。
【００１４】
請求項２に記載のシート材位置決め装置では、揺動部材と接触する際の揺動部材の揺動位置が異なる複数の接触部材を備えており、調整手段として載置部材に設ける接触部材を変更することで、揺動部材の揺動位置が調整される。このため、突当部材の位置を調整する機構を充分に単純な構成にすることができ、これにより、当該機構を良好に小型かつ軽量にできる。
【００１５】
請求項３に記載のシート材位置決め装置は、請求項１または請求項２に記載のシート材位置決め装置において、前記接触部材は、回転位置が変更されることで前記揺動部材と接触する際の前記揺動部材の揺動位置が異なり、かつ、前記調整手段は、前記接触部材の回転位置を変更することで前記揺動部材の揺動位置を調整する、ことを特徴としている。
【００１６】
請求項３に記載のシート材位置決め装置では、接触部材の回転位置が変更されることで、接触部材と接触する際の揺動部材の揺動位置が異なる構成とされており、調整手段として接触部材の回転位置を変更することで、揺動部材の揺動位置が調整される。このため、突当部材の位置を調整する機構を充分に単純な構成にすることができ、これにより、当該機構を良好に小型かつ軽量にできる。
【００１７】
請求項４に記載のシート材位置決め装置は、請求項１乃至請求項３の何れか１項に記載のシート材位置決め装置において、前記揺動部材が前記接触部材に接触する位置と前記揺動部材の揺動中心との距離を、前記突当部材の前記シート材が突き当たる位置と前記揺動部材の揺動中心との距離より大きくした、ことを特徴としている。
【００１８】
請求項４に記載のシート材位置決め装置では、揺動部材が接触部材に接触する位置と揺動部材の揺動中心との距離が、突当部材のシート材が突き当たる位置と揺動部材の揺動中心との距離より大きくされているため、接触部材に接触する位置における揺動部材の揺動距離よりも、シート材が突き当たる位置における突当部材の回動距離が小さくなる。このため、調整手段による揺動部材の揺動位置の調整分解能よりも、突当部材の位置の分解能を高くでき、これにより、高精度に突当部材の位置を調整できる。
【００１９】
請求項５に記載のシート材位置決め装置は、請求項１乃至請求項４の何れか１項に記載のシート材位置決め装置において、前記突当部材の前記シート材が突き当たる位置と前記揺動部材の揺動中心とを通る直線を、前記突当部材による前記シート材の位置決め方向に対し垂直に近づけた、ことを特徴としている。
【００２０】
請求項５に記載のシート材位置決め装置では、突当部材のシート材が突き当たる位置と揺動部材の揺動中心とを通る直線が、突当部材によるシート材の位置決め方向に対し垂直に近づけられている。このため、突当部材のシート材が突き当たる位置の調整方向が突当部材によるシート材の位置決め方向に平行に近づき、これにより、突当部材のシート材が突き当たる位置の調整量が、調整手段による揺動部材の揺動位置の調整量に、比例する状態に近づける（両調整量のリニアリティーを高める）ことができて、突当部材の位置の調整を容易にできる。
【００２１】
なお、本発明のシート材位置決め装置は、請求項１乃至請求項５の何れか１項に記載のシート材位置決め装置において、一方向へ回転されることで前記揺動部材を前記載置部材に固定すると同時に前記揺動部材を一方向へ揺動させて前記接触部材と接触させる固定ネジを備えるようにしても良い。
【００２２】
このようにすれば、固定ネジが一方向へ回転されることで、揺動部材が載置部材に固定されると同時に、揺動部材が一方向へ揺動されて接触部材と接触される。このため、揺動部材が載置部材に固定されて突当部材の位置が固定された際に、揺動部材と接触部材との間に隙間があくことを防止でき、突当部材の位置を確実に調整することができる。
請求項６に記載のシート材位置決め装置は、請求項１乃至請求項５の何れか１項に記載のシート材位置決め装置において、前記載置部材が回転ドラムであり、前記シート材がシート状画像記録材料である、ことを特徴としている。
請求項７に記載の画像記録装置は、回転ドラムの外周にシート状画像記録材料を位置決め固定し、前記回転ドラムを回転させながら露光ヘッドを前記回転ドラムの軸線方向へ移動させて走査露光する画像記録装置であって、前記位置決めを行う位置決め装置は、前記シート状画像記録材料が載置される前記回転ドラムと、前記回転ドラムに設けられ、揺動可能とされた揺動部材と、前記回転ドラムに設けられ、前記揺動部材にその揺動中心から離間した位置において接触する接触部材と、前記揺動部材にその揺動中心から離間した位置において設けられ、前記シート状画像記録材料が突き当たることで前記シート状画像記録材料を位置決めする突当部材と、前記揺動部材と前記接触部材とが接触する際の前記揺動部材の揺動位置を調整する調整手段と、を備えたことを特徴としている。
【００２３】
【発明の実施の形態】
図５には、本発明のシート材位置決め装置が適用されて構成された実施の形態に係る印刷版自動露光装置１０が側面図にて示されている。
【００２４】
本実施の形態に係る印刷版自動露光装置１０は、シート材としてのフォトポリプレートやサーマルプレート等の印刷版１２における支持体上の画像形成層（感光層や感熱層等）に画像を露光（記録）するものであり、所謂アウタードラム方式のものとされている。印刷版自動露光装置１０は、搬送ガイドユニット１４とパンチ部１６と露光部１８とに分かれており、搬送ガイドユニット１４の前方にパンチ部１６及び露光部１８が配置されると共に、パンチ部１６の下方に露光部１８が配置されている。
【００２５】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、図５の中央付近を中心として所定角度回動する構造となっており、この回動によって、給版ガイド２０や排版ガイド２２を選択的にパンチ部１６や露光部１８に対応させることができる。
【００２６】
図４に示す如く、給版ガイド２０の前側部位には、搬送ローラ２４が回転可能に設けられており、搬送ローラ２４はシリコンゴム製とされた円柱状のローラ部２４Ａが回転中心軸２４Ｂに複数並べられて串状にされた構成とされている。搬送ローラ２４は、左右方向に平行に配置されると共に、給版ガイド２０上に突出しており、搬送ローラ２４が回転駆動されることで、給版ガイド２０上に載置された印刷版１２が前方へ搬送される。
【００２７】
給版ガイド２０上には台形柱状のリブ２６が所定数設けられており、リブ２６は、前後方向に平行に配置されると共に、給版ガイド２０上への突出高さが搬送ローラ２４よりも僅かに低くされている。さらに、給版ガイド２０上には円柱状の回転ローラ２８が所定数回転自在に設けられており、回転ローラ２８は、左右方向に平行に配置されると共に、給版ガイド２０上への突出高さが搬送ローラ２４と略同一とされている。ここで、印刷版１２のリブ２６上への支持及び印刷版１２の搬送に伴う回転ローラ２８の回転によって、印刷版１２を搬送する際の摩擦力の軽減が図られている。
【００２８】
給版ガイド２０の前端には、一対の位置決めピン３０が左右方向に平行に設けられており、各位置決めピン３０は、円柱状とされて中心軸を中心に回転自在とされると共に、給版ガイド２０の上面に対して突出している。上述の如く搬送ローラ２４によって印刷版１２が前方へ搬送されると、印刷版１２の前端が一対の位置決めピン３０に突き当たる。これにより、印刷版１２の前後方向における位置が定められる。また、一対の位置決めピン３０は給版ガイド２０上面から下降可能とされており、これにより、印刷版１２を搬送ローラ２４によって給版ガイド２０の前端を越えて前方へ搬送することが可能とされている。
【００２９】
給版ガイド２０の右側部位には、搬送ローラ２４の後方側近傍においてスリット孔３２が形成されており、スリット孔３２は左右方向に平行に配置されて、内部に支持軸３４が貫通されている。支持軸３４の上部には、円柱状の基準ピン３６が支持軸３４を中心に回転自在に支持されており、支持軸３４がスリット孔３２に沿って移動されて、基準ピン３６が左右方向へ移動されることで、基準ピン３６は給版ガイド２０に載置された印刷版１２のサイズによって予め定められた位置に配置される。
【００３０】
給版ガイド２０の左側部位には、搬送ローラ２４の後方側近傍においてスリット孔３８が形成されており、スリット孔３８は左右方向に平行に配置されて、内部に支持軸４０が貫通されている。支持軸４０の上部には、円柱状の搬送ピン４２が支持軸４０を中心に回転自在に支持されており、印刷版１２の前端が一対の位置決めピン３０に突き当たった際には、支持軸４０がスリット孔３８に沿って右方向へ移動されて搬送ピン４２が移動される。これにより、搬送ピン４２が印刷版１２を押圧して右方向へ搬送することで、印刷版１２が基準ピン３６に突き当たって、印刷版１２の左右方向における位置が定められる。
【００３１】
このように、一対の位置決めピン３０によって印刷版１２の前後方向における位置が定められると共に、搬送ピン４２及び基準ピン３６によって印刷版１２の左右方向における位置が定められることで、印刷版１２が仮位置決めされる。
【００３２】
パンチ部１６は、平板状の支持板４４を備えており、支持板４４上にはパンチ装置４６が所定数（本実施の形態では左右に一対ずつの合計４つ）支持されている。ここで、搬送ガイドユニット１４が回動されて給版ガイド２０がパンチ部１６に対応され（パンチ装置４６に対向され）かつ一対の位置決めピン３０が給版ガイド２０上面から下降されることで、パンチ装置４６内に搬送ローラ２４によって給版ガイド２０から印刷版１２の前端部が搬送される。
【００３３】
各対のパンチ装置４６の間には、それぞれ位置決めピン４８が設けられており、一対の位置決めピン４８は、左右方向に平行に配置されると共に、それぞれ円柱状とされて中心軸を中心に回転自在とされている。一対の位置決めピン４８には、パンチ装置４６内に搬送される印刷版１２の前端が突き当たって印刷版１２の前後方向における位置が定められる。さらに、上記と同様に搬送ピン４２が移動されて印刷版１２が基準ピン３６に突き当たることで、印刷版１２の左右方向における位置が定められる。これにより、パンチ部１６において印刷版１２が本位置決めされる。
【００３４】
このように本位置決めされた印刷版１２の前端部には、パンチ装置４６によって例えば円孔と長孔等の所定数のパンチ孔（図示省略）が穿孔される。この所定数のパンチ孔は、後述の如く印刷版１２が搬送される図示しない印刷装置の輪転機の版胴へ巻き付けるための基準となる。パンチ装置４６での処理が終了すると、印刷版１２が搬送ローラ２４の逆回転によって給版ガイド２０上へ戻されると共に、一対の位置決めピン３０が給版ガイド２０上面から突出されて、再度上記と同様に印刷版１２が仮位置決めされる。
【００３５】
露光部１８は、載置部材としての円柱状の回転ドラム５０を備えており、回転ドラム５０は左右方向に平行に配置されて、図５の矢印Ａ及び矢印Ｂの方向へ回転可能とされている。ここで、上述の如くパンチ部１６から給版ガイド２０上へ戻された印刷版１２が仮位置決めされると、搬送ガイドユニット１４が回動されて給版ガイド２０が露光部１８に対応され（回転ドラム５０の接線方向に対向され）かつ一対の位置決めピン３０が給版ガイド２０上面から下降されることで、回転ドラム５０周面上に搬送ローラ２４によって印刷版１２の前端が搬送かつ載置される。
【００３６】
回転ドラム５０の周面には、直方体状の設置凹部７０が一対設けられており、一対の設置凹部７０は、左右方向に平行に配置されると共に、それぞれ底面前側において円柱状の取付孔（図示省略）が形成されている。
【００３７】
図１に示す如く、各設置凹部７０内には、接触部材としての円柱状の調整ピン７２が配置されている。図２に示す如く、調整ピン７２の底面中心には円柱状の取付軸７４が一体に設けられており、取付軸７４が上記取付孔に取り付けられることで、調整ピン７２が回転ドラム５０に取り付けられている。また、取付孔には、径が異なる他の調整ピン７２の取付軸７４も取り付け可能とされている。
【００３８】
各設置凹部７０内には、揺動部材としての略長方形板状の揺動板７６が配置されている。揺動板７６の裏面には、左側の後部において円柱状の支持軸７８が設けられており、支持軸７８が設置凹部７０の底面後側に取り付けられることで、揺動板７６が、支持軸７８を中心として揺動可能とされた状態で回転ドラム５０に取り付けられている。
【００３９】
揺動板７６の裏面には、前部において直方体状の収容凹部８０が形成されている。収容凹部８０は、左壁及び後壁を有すると共に右面及び前面が開放されており、収容凹部８０内には上記調整ピン７２が収容されている。
【００４０】
揺動板７６の裏面には、左側の前後中間部において円柱状の貫通孔８２が形成されており、貫通孔８２には固定ネジ８４が配置されている。固定ネジ８４は円柱状の頭部８６及びネジ部８８を有しており、頭部８６は貫通孔８２よりも大径とされると共に、ネジ部８８は貫通孔８２よりも小径とされている。固定ネジ８４は所謂右ネジとされており、ネジ部８８が貫通孔８２内に貫通された状態で固定ネジ８４（頭部８６）が右回り（一方向）へ回転されることで、ネジ部８８が設置凹部７０の底面に固定されると共に、頭部８６と回転ドラム５０との間に揺動板７６が狭持されて、揺動板７６が回転ドラム５０に固定されている。また、固定ネジ８４が右回りへ回転される際には、頭部８６の底面が揺動板７６に接触して揺動板７６が右回りへ揺動されることで、収容凹部８０の左壁（揺動板７６の支持軸７８から離間した位置）が調整ピン７２と接触されている。また、上述の如く取付孔に径が異なる他の調整ピン７２の取付軸７４が取り付けられた際には、調整ピン７２と揺動板７６とが接触する際の揺動板７６の揺動位置が異なる構成とされている。
【００４１】
揺動板７６の表面には、右側後部（支持軸７８から離間した位置）において突当部材としての位置決めピン５２（ベアリング）が設けられており、位置決めピン５２は、円柱状とされて中心軸５２Ａを中心に回転自在とされると共に、揺動板７６から後方へ突出している。位置決めピン５２は回転ドラム５０の周面から突出しており、一対の位置決めピン５２に回転ドラム５０周面上に搬送される印刷版１２の前端が突き当たって、印刷版１２の前後方向における位置が定められる。さらに、上記と同様に搬送ピン４２が移動されて印刷版１２が基準ピン３６に突き当たることで、印刷版１２の左右方向における位置が定められる。これにより、露光部１８において印刷版１２が本位置決めされる。
【００４２】
図３に示す如く、揺動板７６（収容凹部８０の左壁）が調整ピン７２に接触する位置と揺動板７６の揺動中心（支持軸７８の中心）との距離Ｌ１が、位置決めピン５２の印刷版１２前端が突き当たる位置（後端）と揺動板７６の揺動中心との距離Ｌ２より大きくされている。さらに、位置決めピン５２の回転中心（中心軸５２Ａの中心）と揺動板７６の揺動中心とを通る直線ｌ１の左右方向に対する角度θが小さくされて、位置決めピン５２の印刷版１２前端が突き当たる位置（後端）と揺動板７６の揺動中心とを通る直線ｌ２が、位置決めピン５２による印刷版１２の位置決め方向（前後方向）に対し垂直に近づけられている。
【００４３】
図５に示す如く、回転ドラム５０の周面には、一対の位置決めピン５２の近傍において、板状の前端チャック５４が設けられている。前端チャック５４は回転ドラム５０に回転自在に支持されると共に、前端チャック５４の前側には回転ドラム５０周面から離間される方向へ弾性力が付与されている。
【００４４】
前端チャック５４の上方には装着カム５６が設けられており、装着カム５６が前端チャック５４の前側を押圧することで、前端チャック５４の後側が回転ドラム５０周面から離間している。これにより、上述の如く給版ガイド２０から回転ドラム５０周面上に搬送される印刷版１２の前端が前端チャック５４の後側と回転ドラム５０周面との間に挿入され、この状態で上記印刷版１２の本位置決めが行われる。また、上記印刷版１２の本位置決めが終了した後には、装着カム５６が回動して前端チャック５４前側の押圧を解除することで、前端チャック５４後側が前記弾性力により印刷版１２の前端を押圧して、回転ドラム５０周面に印刷版１２の前端が保持される。さらに、回転ドラム５０周面に印刷版１２の前端が保持されると、回転ドラム５０が図５の矢印Ａの方向へ回転されて、印刷版１２が回転ドラム５０周面に巻き付けられる。
【００４５】
回転ドラム５０の周面近傍には、装着カム５６よりも図５の矢印Ａの方向側において、スクイズローラ５８が配設されている。スクイズローラ５８は、回転ドラム５０側へ移動されることで、回転ドラム５０に巻き付けられる印刷版１２を回転ドラム５０へ向けて押圧しつつ回転され、印刷版１２を回転ドラム５０の周面に密着させる。
【００４６】
回転ドラム５０の周面近傍には、装着カム５６とスクイズローラ５８との間において、後端チャック着脱ユニット６０が配設されている。後端チャック着脱ユニット６０はシャフト６２を有しており、シャフト６２は回転ドラム５０へ向けて移動可能とされている。シャフト６２の先端には後端チャック６４が装着されており、回転ドラム５０に巻き付けた印刷版１２の後端が後端チャック着脱ユニット６０に対向すると、シャフト６２が後端チャック６４を回転ドラム５０側へ移動させて回転ドラム５０の所定の位置に装着すると同時に、シャフト６２から後端チャック６４が離脱される。これにより、後端チャック６４が印刷版１２の後端を押圧して、回転ドラム５０周面に印刷版１２の後端が保持される。
【００４７】
このように、前端チャック５４及び後端チャック６４によって印刷版１２の前端及び後端が回転ドラム５０に保持されると、スクイズローラ５８が回転ドラム５０から離間された後に、回転ドラム５０が所定の回転速度で高速回転される。
【００４８】
回転ドラム５０の周面近傍には、記録ヘッド部６６が配設されており、記録ヘッド部６６は、高速回転される回転ドラム５０に向け、この回転ドラム５０の回転に同期させて、読み込まれた画像データに基づいて変調した光ビームを照射し、これにより、印刷版１２が画像データに基づいて露光される。この露光処理は、回転ドラム５０を高速で回転させながら（主走査）、記録ヘッド部６６を回転ドラム５０の軸線方向へ移動させる（副走査）、所謂走査露光である。
【００４９】
この印刷版１２への走査露光が終了すると、後端チャック６４がシャフト６２に対向する位置で回転ドラム５０が一時停止され、シャフト６２によって回転ドラム５０から後端チャック６４が取り外されて（シャフト６２に後端チャック６４が装着されて）、後端チャック６４による印刷版１２後端の押圧が解除される。さらに、搬送ガイドユニット１４が回動されて排版ガイド２２が露光部１８に対応された（回転ドラム５０の接線方向に対向された）後、回転ドラム５０が図５の矢印Ｂの方向へ回転されることで、印刷版１２が後端側から排版ガイド２２へ排出される。この際、装着カム５６が回動されて前端チャック５４の前側を押圧することで、前端チャック５４後側による印刷版１２の前端の押圧が解除される。また、印刷版１２が排版ガイド２２に送られると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００５０】
次に、本実施の形態の作用を説明する。
【００５１】
まず、印刷版１２を給版ガイド２０に載置する。このとき、所謂手差しであってもよいし、自動枚葉装置等による送り込みであってもよい。
【００５２】
給版ガイド２０上の印刷版１２は、載置位置や給版ガイド２０に対する傾き等が比較的ラフな状態で載置されており、この状態で搬送ローラ２４によって印刷版１２を前方へ搬送して印刷版１２の前端を一対の位置決めピン３０に突き当てると共に、搬送ピン４２を移動させて印刷版１２を基準ピン３６に突き当てることで、印刷版１２が仮位置決めされる。
【００５３】
この仮位置決め状態で、搬送ガイドユニット１４を回動させて給版ガイド２０をパンチ部１６に対応させると共に、一対の位置決めピン３０を給版ガイド２０上面から下降させると、搬送ローラ２４によって印刷版１２を前方へ搬送して印刷版１２の前端をパンチ部１６の一対の位置決めピン４８に突き当てると共に、搬送ピン４２を移動させて印刷版１２を基準ピン３６に突き当てることで、パンチ部１６において印刷版１２が本位置決めされる。このように本位置決めされた印刷版１２の前端にパンチ装置４６によって所定数のパンチ孔が穿孔された後、印刷版１２が搬送ローラ２４の逆回転によって給版ガイド２０上へ戻されると共に、一対の位置決めピン３０を給版ガイド２０上面から突出させて、再度上記と同様に印刷版１２が仮位置決めされる。
【００５４】
さらに、この仮位置決め状態で、搬送ガイドユニット１４を回動させて給版ガイド２０を露光部１８に対応させると共に、一対の位置決めピン３０を給版ガイド２０上面から下降させると、搬送ローラ２４によって印刷版１２を前方へ搬送して印刷版１２の前端を回転ドラム５０の一対の位置決めピン５２に突き当てると共に、搬送ピン４２を移動させて印刷版１２を基準ピン３６に突き当てることで、露光部１８において印刷版１２が本位置決めされる。このように本位置決めされた印刷版１２は、前端と後端とがそれぞれ前端チャック５４と後端チャック６４とによって回転ドラム５０の周面に保持されると共にスクイズローラ５８によって回転ドラム５０の周面に密着されつつ、回転ドラム５０の周面に巻き付けられる。その後、回転ドラム５０を高速回転させて、記録ヘッド部６６によって露光処理を行う。
【００５５】
露光処理が終了すると、搬送ガイドユニット１４を回動させて排版ガイド２２を回転ドラム５０へ対応させると共に、前端チャック５４及び後端チャック６４による印刷版１２の回転ドラム５０周面への保持を解除しつつ、印刷版１２を回転ドラム５０から排版ガイド２２へ排出する。その後、搬送ガイドユニット１４を回動させて排版ガイド２２から印刷版１２を現像装置または印刷装置へ搬送する。
【００５６】
ここで、上述の如く、露光部１８では回転ドラム５０に載置される印刷版１２の前端が一対の位置決めピン５２に突き当たることで、印刷版１２が前後方向において位置決めされる。このため、従来の印刷版端縁に切り欠きを形成するパンチ機構が必ずしも必要でなく、コストを低減できる。
【００５７】
また、位置決めピン５２は、回転ドラム５０に揺動可能に設けられた揺動板７６に設けられており、揺動板７６の揺動中心（支持軸７８の中心）から離間した位置に配置されている。さらに、回転ドラム５０に設けられた調整ピン７２が、揺動板７６にその揺動中心から離間した位置（収容凹部８０の左壁）において接触する。ここで、設置凹部７０の取付孔に取付軸７４を取り付ける調整ピン７２を変更して（取り替えて）調整ピン７２の径を変更することで、揺動板７６と調整ピン７２とが接触する際の揺動板７６の揺動位置が調整される。これにより、揺動板７６の揺動中心を中心とした位置決めピン５２の回動位置が調整され、回転ドラム５０に対する位置決めピン５２の位置を調整（微調整）できる。
【００５８】
さらに、揺動板７６と調整ピン７２とが接触する際の揺動板７６の揺動位置を調整ピン７２の変更によって調整するのみで回転ドラム５０に対する位置決めピン５２の位置を調整する構成であるため、回転ドラム５０に対する位置決めピン５２の位置を調整する機構を充分に単純な構成にすることができ、これにより、当該機構を良好に小型かつ軽量にできる。したがって、印刷版１２が露光処理される際に回転ドラム５０が高速回転されても、回転ドラム５０が遠心力により変形することを抑制でき、これにより、記録ヘッド部６６と印刷版１２との距離が変わって記録画像にピントボケが生じることを抑制できる。
【００５９】
また、固定ネジ８４が右回りへ回転されることで、揺動板７６が回転ドラム５０に固定されると同時に、揺動板７６が右回りへ揺動されて収容凹部８０の左壁が調整ピン７２に接触される。このため、揺動板７６が回転ドラム５０に固定されて位置決めピン５２の位置が固定された際に、揺動板７６と調整ピン７２との間に隙間があくことを防止でき、位置決めピン５２の位置を確実に調整することができる。
【００６０】
さらにまた、図３に示す如く、揺動板７６が調整ピン７２に接触する位置と揺動板７６の揺動中心との距離Ｌ１が、位置決めピン５２の印刷版１２が突き当たる位置（後端）と揺動板７６の揺動中心との距離Ｌ２より大きくされているため、調整ピン７２に接触する位置における揺動板７６の揺動距離よりも、印刷版１２が突き当たる位置における位置決めピン５２の回動距離が小さくなる。このため、図６に示す如く、調整ピン７２の径の変更による揺動板７６の揺動位置の調整分解能よりも、位置決めピン５２の位置の分解能を高くでき、これにより、高精度に位置決めピン５２の位置を調整できる。
【００６１】
また、図３に示す如く、位置決めピン５２の印刷版１２が突き当たる位置と揺動板７６の揺動中心とを通る直線ｌ２が、位置決めピン５２による印刷版１２の位置決め方向（前後方向）に対し垂直に近づけられている。このため、位置決めピン５２の印刷版１２が突き当たる位置の調整方向が位置決めピン５２による印刷版１２の位置決め方向に平行に近づき、これにより、図６に示す如く、位置決めピン５２の印刷版１２が突き当たる位置の調整量が、調整ピン７２の径の変更による揺動板７６の揺動位置の調整量に、比例する状態に近づける（両調整量のリニアリティーを高める）ことができて、位置決めピン５２の位置の調整を容易にできる。
【００６２】
なお、本実施の形態では、調整手段として設置凹部７０の取付孔に取付軸７４を取り付ける調整ピン７２を変更して調整ピン７２の径を変更することで、揺動板７６と調整ピン７２とが接触する際の揺動板７６の揺動位置を調整する構成としたが、調整手段としてカム部材を用いた構成としてもよい。例えば図７に示す如く、調整ピン９０底面の中心以外に円柱状の取付軸９２を一体に設け、設置凹部７０の取付孔に取付軸９２を取り付ける構成としてもよい。これにより、調整ピン９０の回転位置を変更することで、調整ピン９０が揺動板７６（収容凹部８０の左壁）と接触する際の揺動板７６の揺動位置を異ならせることができる。
【００６３】
さらに、本実施の形態では、位置決めピン３０、４８、５２をそれぞれ一対設けた構成としたが、位置決めピンは、大サイズの印刷版１２用のもの一対と小サイズの印刷版１２用のもの一対との合わせて４つ設けた構成としてもよい。
【００６４】
また、本実施の形態では、本発明を位置決めピン５２に適用した構成としたが、本発明を位置決めピン３０や位置決めピン４８に適用した構成のほか、本発明を基準ピン３６や搬送ピン４２に適用した構成としてもよい。
【００６５】
さらに、本実施の形態では、本発明をアウタードラム方式の印刷版自動露光装置１０に適用した構成としたが、本発明を所謂フラットベッド方式や所謂インナードラム方式の印刷版自動露光装置に適用した構成としてもよい。
【００６６】
【発明の効果】
請求項１に記載のシート材位置決め装置では、シート材が突当部材に突き当たることでシート材が位置決めされるため、従来の印刷版端縁に切り欠きを形成するパンチ機構が必ずしも必要でなく、コストを低減できる。
【００６７】
また、揺動部材と接触部材とが接触する際の揺動部材の揺動位置が調整手段によって調整されるため、突当部材の回動位置が調整されて、載置部材に対する突当部材の位置を調整できる。
【００６８】
さらに、揺動部材と接触部材とが接触する際の揺動部材の揺動位置を調整手段によって調整するのみで載置部材に対する突当部材の位置を調整する構成であるため、載置部材に対する突当部材の位置を調整する機構を小型かつ軽量にできる。
【００６９】
請求項２に記載のシート材位置決め装置では、調整手段として載置部材に設ける接触部材を変更することで揺動部材の揺動位置が調整されため、突当部材の位置を調整する機構を良好に小型かつ軽量にできる。
【００７０】
請求項３に記載のシート材位置決め装置では、調整手段として接触部材の回転位置を変更することで、揺動部材の揺動位置が調整されるため、突当部材の位置を調整する機構を良好に小型かつ軽量にできる。
【００７１】
請求項４に記載のシート材位置決め装置では、揺動部材が接触部材に接触する位置と揺動部材の揺動中心との距離が、突当部材のシート材が突き当たる位置と揺動部材の揺動中心との距離より大きくされているため、調整手段による揺動部材の揺動位置の調整分解能よりも突当部材の位置の分解能を高くできて、高精度に突当部材の位置を調整できる。
【００７２】
請求項５に記載のシート材位置決め装置では、突当部材のシート材が突き当たる位置と揺動部材の揺動中心とを通る直線が、突当部材によるシート材の位置決め方向に対し垂直に近づけられているため、突当部材のシート材が突き当たる位置の調整量が、調整手段による揺動部材の揺動位置の調整量に、比例する状態に近づけることができて、突当部材の位置の調整を容易にできる。
【図面の簡単な説明】
【図１】本発明の実施の形態に係る印刷版自動露光装置の露光部における位置決めピンの位置を調整する機構を示す斜視図である。
【図２】本発明の実施の形態に係る印刷版自動露光装置の露光部における位置決めピンの位置を調整する機構を示す裏面側からの斜視図である。
【図３】本発明の実施の形態に係る印刷版自動露光装置の露光部における位置決めピンの位置を調整する機構を示す裏面図である。
【図４】本発明の実施の形態に係る印刷版自動露光装置を示す概略的な斜視図である。
【図５】本発明の実施の形態に係る印刷版自動露光装置を示す概略的な側面図である。
【図６】本発明の実施の形態に係る印刷版自動露光装置の露光部における調整ピンの径変化量と位置決めピンの位置の前後方向変化量との関係を示すグラフである。
【図７】本発明の実施の形態に係る印刷版自動露光装置の露光部における位置決めピンの位置を調整する機構の別例を示す裏面側からの斜視図である。
【符号の説明】
１０    印刷版自動露光装置
１２    印刷版（シート材）
５０    回転ドラム（載置部材）
５２    位置決めピン（突当部材）
７２    調整ピン（接触部材）
７６    揺動板（揺動部材）
８４    固定ネジ
９０    調整ピン（接触部材）
【図１】
0003711080.tif 000002
【図２】
0003711080.tif 000003
【図３】
0003711080.tif 000004
【図４】
0003711080.tif 000005
【図５】
0003711080.tif 000006
【図６】
0003711080.tif 000007
【図７】
0003711080.tif 000008